(57)【要約】【課題】本発明はフレキシブルに形状を変更し、梱包物品に対する当たり方向及び緩衝能力を調整することができる段ボール製緩衝材を提供する。【解決手段】一枚の矩形状の段ボール材の両端部を巻き込んで形成される第１筒体ａ、第２筒体ｂからなる段ボール製緩衝材Ｋにおいて、第１筒体ａの周囲に沿って筒体を分断する第１切れ込み線１２ａ及び第２筒体ｂの周囲に沿って筒体を分断する第２切れ込み線１２ｂを設けた。【選択図】図１
2008184179.tif 000002
【特許請求の範囲】
【請求項１】
一枚の矩形状の段ボール材の端部を巻き込んで形成される第１筒体からなる段ボール製緩衝材において、
前記第１筒体の周囲に沿って筒体を分断する第１切れ込み線が設けられていることを特徴とする段ボール製緩衝材。
【請求項２】
前記段ボール材のもう一方の端部を巻き込んで第２筒体が形成され、該第２筒体の周囲に沿って筒体を分断する第２切れ込み線が設けられていることを特徴とする請求項１に記載の段ボール製緩衝材。
【請求項３】
前記第１切れ込み線及び前記第２切れ込み線が各筒体の軸方向に所定の間隔で複数設けられていることを特徴とする請求項２に記載の段ボール製緩衝材。
【請求項４】
前記第１切れ込み線及び前記第２切れ込み線の端部を結ぶ折り曲げ線が前記段ボール材に設けられていることを特徴とする請求項２又は請求項３に記載の段ボール製緩衝材。
【請求項５】
前記第１筒体と前記第２筒体の間で筒体の軸方向に延びる折り曲げ線が前記段ボール材に設けられていることを特徴とする請求項２乃至請求項４のいずれか１に記載の段ボール製緩衝材。
【請求項６】
前記折り曲げ線が段ボール材表面を破断させて形成される破断線であることを特徴とする請求項４又は請求項５に記載の段ボール製緩衝材。
【発明の詳細な説明】
【技術分野】
【０００１】
本発明は、電子機器等の製品を包装箱内に収容する際に、包装箱と製品との間に介在して外部衝撃から製品を保護する段ボール製緩衝材に関するものである。
【背景技術】
【０００２】
包装箱に各種製品を収容する場合、包装箱と製品の間の隙間が大きいと、運搬時等に製品が包装箱内でがたつくため、製品が損傷したり変形する恐れがある。そこで、製品の損傷や変形の発生を防止するために、包装箱と製品との隙間に緩衝材を介在させることが一般に行われている。
【０００３】
従来、この種の緩衝材としては、発泡スチロール等の合成樹脂を材料とものが一般的であったが、発泡スチロール製の緩衝材は、リサイクルするための運搬費用や再資源化費用がかさむ等の理由により、これら合成樹脂製緩衝材は敬遠される傾向にある。そこで、近年、リサイクル性に優れる紙製の緩衝材が注目される中、特に段ボール製の緩衝材の需要が高まってきている。
【０００４】
この段ボール製緩衝材は各種製品の所要部の外形と包装容器の隙間の形状に合致した形に成形し易く、裁断した段ボールを折り曲げたり重ねたりして立体的に組み立てて作製される。しかし、この段ボール緩衝材は各種製品の形状に対応させて製作するため設計に手間がかかるとともに、各種製品の金型品と試作品において、急遽追加部材が必要となった場合等、対応する段ボール製緩衝材をすぐに提供することができなかった。
【発明の開示】
【発明が解決しようとする課題】
【０００５】
そこで、上記問題に鑑み、本発明はフレキシブルに形状を変更し、梱包物品に対する当たり方向及び緩衝能力を調整することができる段ボール製緩衝材を提供することを目的とする。
【課題を解決するための手段】
【０００６】
上記目的を達成するために本発明の構成は、一枚の矩形状の段ボール材の端部を巻き込んで形成される第１筒体からなる段ボール製緩衝材において、前記第１筒体の周囲に沿って筒体を分断する第１切れ込み線が設けられていることを特徴とする段ボール製緩衝材である。
【０００７】
また、本発明の構成は上記前記段ボール製緩衝材において、前記段ボール材のもう一方の端部を巻き込んで第２筒体が形成され、該第２筒体の周囲に沿って筒体を分断する第２切れ込み線が設けられていることを特徴とする。
【０００８】
また、本発明の構成は上記前記段ボール製緩衝材において、前記第１切れ込み線及び前記第２切れ込み線が各筒体の軸方向に所定の間隔で複数設けられていることを特徴とする。
【０００９】
また、本発明の構成は上記前記段ボール製緩衝材において、前記第１切れ込み線及び前記第２切れ込み線の端部を結ぶ折り曲げ線が前記段ボール材に設けられていることを特徴とする。
【００１０】
また、本発明の構成は上記前記段ボール製緩衝材において、前記第１筒体と前記第２筒体の間で筒体の軸方向に延びる折り曲げ線が前記段ボール材に設けられていることを特徴とする。
【００１１】
また、本発明の構成は上記前記段ボール製緩衝材において、前記折り曲げ線が段ボール材表面を破断させて形成される破断線であることを特徴とする。
【発明の効果】
【００１２】
本発明の第１の構成によれば、一枚の矩形状の段ボール材の端部を巻き込んで形成される第１筒体が緩衝性能を有するため、容易に緩衝材を形成することができるとともに、巻き込む段ボール材の長さに応じて緩衝性能を調節することができる。また、第１筒体の周囲に沿って筒体を分断する第１切れ込み線を設けることで、この第１切れ込み線に沿って、段ボール製緩衝材を折り曲げた場合、任意の形状に合わせて段ボール製緩衝材を変形させることができる。
【００１３】
本発明の第２の構成によれば、前記段ボール材のもう一方の端部を巻き込んで第２筒体を形成することにより、緩衝性能をさらに高めることができる。また、第２筒体の周囲に沿って筒体を分断する第２切れ込み線を設けることで、第１切れ込み線及び第２切れ込み線に沿って、段ボール製緩衝材を折り曲げることにより、段ボール製緩衝材を任意の形状に変形させ梱包物品の形状に適合させることができる。
【００１４】
本発明の第３の構成によれば、第１切れ込み線及び第２切れ込み線を各筒体の軸方向に所定の間隔で複数設けることにより、複数の面を有する梱包物品の形状に沿って段ボール製緩衝材を折り曲げ、任意の形状に適合させることができる。
【００１５】
本発明の第４の構成によれば、段ボール材に第１切れ込み線と第２切れ込み線の端部を結ぶ折り曲げ線を設けることで、段ボール製緩衝材を切れ込み線に沿って折り曲げ易くすることができる。
【００１６】
本発明の第５の構成によれば、段ボール材に隣接する第１筒体と第２筒体間の軸方向に折り曲げ線を設けることにより、段ボール製緩衝材を軸方向と垂直な方向に折り曲げることができ、変形可能な形状のパターンが一つ増える。
【００１７】
本発明の第５の構成によれば、折り曲げ線を段ボール材を破断させて形成することで段ボール材に折り曲げ線を容易に形成することができる。
【発明を実施するための最良の形態】
【００１８】
以下、図面を参照して本発明に係る段ボール製緩衝材について説明するが、本発明はこれらの実施形態に何ら限定されるものではない。
【００１９】
［第１実施形態］
図１は本実施形態に係る段ボール製緩衝材Ｋの斜視図であり、図２、３は本実施形態に係る段ボール製緩衝材Ｋで梱包物品１６を保護した状態を示す斜視図である。また、図４は本実施形態に係る段ボール製緩衝材Ｋの展開図である。
【００２０】
図１に示すように、本実施形態に係る段ボール製緩衝材Ｋは略直方体形状の第１筒体ａ、第２筒体ｂ（以下筒体ａ、ｂと省略する）を一対備えており、筒体ａ、ｂは底面板５と当接する下面板１ａ、１ｂと、筒体ａ、ｂの側面板となる内側面板２ａ、２ｂと、外側面板４ａ、４ｂ、筒体ａ、ｂの上面となる上面板３ａ、３ｂで構成されている。また、筒体ａ、ｂを構成するこれら複数の面は、折り曲げ線６ａ〜８ａ、及び６ｂ〜８ｂを介して連設しており、底面板５の両端と外側面板４ａ、４ｂは折り曲げ線９ａ、９ｂを介して連設し、筒体ａ、ｂと底面板５が一体化している。この構成により、筒体ａ、ｂが緩衝体として機能し、底面板５を保護したい梱包物品に当接させて当該梱包物品を衝撃等から保護することができる。
【００２１】
また、底面板５上、筒体ａ、ｂの間には段ボール製緩衝材Ｋの軸方向に段ボール材の表面を破断させた第１破断線１５が直線状に設けられている。この構造により、図２に示すように段ボール製緩衝材Ｋを第１破断線１５に沿って（図２（ａ）、矢印方向）折り曲げ、梱包物品１６の角部の形状に合わせて前記折り曲げ角度を調節することで梱包物品１６の形状に緩衝材Ｋの形状を適合させることができる。
【００２２】
なお、ここで第１破断線１５とは、段ボール材を構成するライナーと中芯を破断して設けられた折り曲げ線で、段ボール材裏面のライナーを残して表面のライナー及び中芯に切れ目を入れることで容易に形成することができる。また、当該部分を破断させなくても軸方向に沿って段ボール材を押し潰すことにより、折り曲げ線を形成することができる。
【００２３】
また、本実施形態に係る段ボール製緩衝材Ｋには筒体ａ、ｂを分断する第１切れ込み線１２ａ、第２切れ込み線１２ｂ（以下、切れ込み線１２ａ、１２ｂと省略する）が設けられている。この構造により、図３に示すように段ボール製緩衝材Ｋを切れ込み線１２ａ、１２ｂに沿って折り曲げ（図３、矢印方向）、筒体ａ、ｂをそれぞれ二つに分断することができる。このとき、梱包物品１６の角部の形状に合わせて段ボール製緩衝材Ｋの折り曲げ角度を調節することで、梱包物品１６の形状に緩衝材Ｋの形状を適合させることができる。また、梱包物品１６の形状に合わせて、切れ込み線１２ａ、１２ｂを任意の位置に設けることで、保護したい梱包物品１６の面の大きさに緩衝材Ｋを適合させることができ、製品の急な設計変更に対応することができる。
【００２４】
ここで、切れ込み線１２ａ、１２ｂは筒体ａ、ｂを構成する下面板１ａ、１ｂ、内側面板２ａ、２ｂ、外側面板４ａ、４ｂ、上面板３ａ、３ｂにわたって入れられており、底面板５上には切れ込み線１２ａ、１２ｂの端部を結ぶ第２破断線１４が設けられている。これにより、切れ込み線１２ａ、１２ｂに沿って段ボール製緩衝材Ｋが折り曲げ易くなっている。なお、第２破断線１４は前記第１破断線１５と同様に例えばカッター等で一方のライナーを残してもう一方のライナーと中芯に切れ目を入れることにより容易に形成することができる折り曲げ線で、当該部分を破断させなくても段ボール材を直線状に押し潰して折り曲げ線を形成することはできる。また、切れ込み線１２ａ、１２ｂとはダンボール材を構成する両面のライナーと中芯に切り込みが入りダンボール材を完全に分断する線である。
【００２５】
また、切れ込み線１２ａ、１２ｂを下面板１ａ、１ｂに入れなくとも内側面板２ａ、２ｂ、外側面板４ａ、４ｂ、上面板３ａ、３ｂに切れ込み線１２ａ、１２ｂが有れば、切れ込み線１２ａ、１２ｂに沿って段ボール製緩衝材Ｋを折り曲げることはできる。なお、このとき、下面板１ａ、１ｂの所定の位置に破断線を設け筒体ａ、ｂを折り曲げ易くするべきである。
【００２６】
図４は本実施形態に係る段ボール製緩衝材Ｋの展開図を示すものであり、本実施形態に係る段ボール製緩衝材Ｋは、筒体ａ、ｂが下面板１ａ、１ｂ、内側面板２ａ、２ｂ、上面板３ａ、３ｂ、外側面板４ａ、４ｂで構成され、段ボール製緩衝材Ｋの底面となる底面板５は、折り曲げ線６ａ〜９ａ、及び６ｂ〜９ｂを介して連設されている。従って、本実施形態に係る段ボール製緩衝材Ｋは一枚の矩形の段ボール材の両端部を巻き込んで形成されるものである。
【００２７】
ここで、下面板１ａ、１ｂには所定のピッチで複数の開口部１０ａ、１０ｂが設けられ、底面板５にはこれら複数の開口部１０ａ、１０ｂに挿入するための係止片１１ａ、１１ｂが開口部１０ａ、１０ｂに対応する所定の位置に複数設けられている。また、隣接する開口部１０ａの間を通って下面板１ａ、１ｂ、内側面板２ａ、２ｂ、上面板３ａ、３ｂ、外側面板４ａ、４ｂにわたる直線状の切れ込み線１２ａ、１２ｂが設けられ、底面板５上にはその切れ込み線１２ａ、１２ｂを結ぶ第２破断線１４が設けられている。また、底面板５上には折り曲げ線６ａ〜９ａ、６ｂ〜９ｂと並行する第１破断線１５が設けられている。
【００２８】
次に本実施形態に係る段ボール製緩衝材Ｋの組み立て方法について説明する。図５は本実施形態に係る段ボール製緩衝材Ｋの組み立て方法を説明する断面図である。まず、底面板５を底にして折り曲げ線９ａを折り曲げて外側面板４ａを起立させ（図５（ａ）参照）、この状態で上面板３ａが底面板５と平行となる様に、折り曲げ線８ａを直角に折り曲げる。次に、内側面板２ａが外側面板４ａと平行になる様に折り曲げ線６ａを直角に折り曲げ、底面板５に設けられた各係止片１１ａを下面板１ａに形成された対応する各開口部１０ａに挿入することにより、略直方体形状を有する筒体ａが完成する（図５（ｂ）参照）。
【００２９】
筒体ｂについても同様にして、折り曲げ線９ｂを折り曲げて外側面板４ｂを起立させ（図５（ｃ）参照）、この状態で上面板３ｂが底面板５と平行となる様に、折り曲げ線８ｂを直角に折り曲げる。次に、内側面板２ｂが外側面板４ｂと平行になる様に折り曲げ線６ｂを直角に折り曲げ、底面板５に設けられた各係止片１１ｂを下面板１ｂに形成された対応する開口部１０ｂに挿入することにより略直方体形状を有する筒体ｂが完成する（図５（ｄ）参照）。
【００３０】
その後、梱包材の形状に合わせて切れ込み線１２ａ、１２ｂ及び破断線１４、１５を設けて本実施形態に係る段ボール製緩衝材Ｋが完成する。
【００３１】
このとき、係止片１１ａ、１１ｂ及びそれに対応する開口部１０ａ、１０ｂは筒体ａ、ｂの軸方向に複数設けられているため、隣接する開口部１０ａ、１０ｂの間であれば、切れ込み線１２ａ、１２ｂをどこに設けても、筒体ａ、ｂが分解することはない。
【００３２】
なお、上述の組立て方法は一例であり、この順序に限定されるものではない。例えば、段ボール紙を組み立てる前に梱包物品の形状に合わせて予め切れ込み線１２ａ、１２ｂ及び破断線１４、１５を設けてその後組み立ててもよい。
【００３３】
以上説明したように、本実施形態における段ボール製緩衝材Ｋは、梱包物品１６の形状に合わせて切れ込み線１２ａ、１２ｂの位置を変えることで様々な形状に適合することができるとともに、一枚の段ボール材の両端を巻き込んで筒体ａ、ｂを形成するため、巻き込む段ボール材の長さを調整することで筒体の大きさを調整し、緩衝性能を変化させることができる。
【００３４】
［第２実施形態］
図６は本実施形態に係る段ボール製緩衝材Ｋで梱包物品１６を保護した状態を示す斜視図であり、図７は本実施形態に係る段ボール製緩衝材Ｋの展開図である。なお、第１実施形態と同一部分については同一の符号を付し説明を省略する。
【００３５】
図６に示すように、本実施形態に係る段ボール製緩衝材Ｋは略直方体形状の筒体ａ、ｂを一対備えており、筒体ａ、ｂは底面板５と当接する下面板１ａ、１ｂと、筒体ａ、ｂの側面板となる内側面板２ａ、２ｂと、外側面板４ａ、４ｂ、筒体ａ、ｂの上面となる上面板３ａ、３ｂで構成されている。また、底面板５の両端と外側面板４ａ、４ｂは折り曲げ線９ａ、９ｂ（図６中、省略）を介して連設し、筒体ａ、ｂと底面板５が一体化している。この構成により、筒体ａ、ｂが緩衝体として機能するので、底面板５を保護したい梱包物品に当接させて当該梱包物品を衝撃等から保護することができる。
【００３６】
また、底面板５上の筒体ａ、ｂ間には軸方向に段ボール材の表面を破断させた第１破断線１５（図６中、省略）が直線状に設けられている。これにより、第１実施形態と同様に第１破断線１５に沿って段ボール製緩衝材Ｋを折り曲げ、梱包物品１６の形状に適合させることができる。
【００３７】
また、本実施形態に係る段ボール製緩衝材Ｋには筒体ａ、ｂを分断する切れ込み線１２ａ、１２ｂが所定の間隔で複数設けられている。この構造により、図６（ｂ）に示すように保護する梱包物品１６の面の形状に合わせて段ボール製緩衝材Ｋを折り曲げることにより、梱包物品１６の面の数や形状に応じて緩衝材Ｋを適合させることができる。この構成によると、予め切れ込み線１２ａ、１２ｂを入れたものを用意しておくことができ、第１実施形態で示したように製品の形状に合わせて切れ込み線１２ａ、１２ｂを入れる必要はない。このため、本実施形態に係る段ボール製緩衝材Ｋは製品の急な設計変更に対応することができる。なお、設ける切れ込み線１２ａ、１２ｂの数を増やし、間隔を狭めることで、段ボール製緩衝材Ｋはより適合可能な形状に変形し易くなる。
【００３８】
ここで、切れ込み線１２ａ、１２ｂは筒体ａ、ｂを構成する下面板１ａ、１ｂ、内側面板２ａ、２ｂ、外側面板４ａ、４ｂ、上面板３ａ、３ｂにわたって入れられており、底面板５上には切れ込み線１２ａ、１２ｂの端部を結ぶ第２破断線１４が設けられている。これにより、切れ込み線１２ａ、１２ｂに沿って段ボール製緩衝材Ｋが折り曲げ易くなっている。
【００３９】
図７は本実施形態に係る段ボール製緩衝材Ｋの展開図を示すものであるが、本実施形態に係る段ボール製緩衝材Ｋは、下面板１ａ、１ｂ、内側面板２ａ、２ｂ、上面板３ａ、３ｂ、外側面板４ａ、４ｂ、底面板５が、折り曲げ線６ａ〜９ａ、及び６ｂ〜９ｂを介して連設されたものである。従って、本実施形態に係る段ボール製緩衝材Ｋは一枚の矩形の段ボール材の両端部を巻き込んで形成されるものである。
【００４０】
ここで、下面板１ａ、１ｂには所定のピッチで複数の開口部１０ａ、１０ｂが設けられ、底面板５にはこれら複数の開口部１０ａ、１０ｂに挿入するための係止片１１ａ、１１ｂが開口部１０ａ、１０ｂに対応する所定の位置に複数設けられている。また、隣接する各開口部１０ａの間には下面板１ａ、１ｂ、内側面板２ａ、２ｂ、上面板３ａ、３ｂ、外側面板４ａ、４ｂにわたる直線状の切れ込み線１２ａ、１２ｂが設けられ、底面板５上には各切れ込み線１２ａ、１２ｂを結ぶ第２破断線１４が複数設けられている。また、底面板５上には折り曲げ線６ａ〜９ａ、６ｂ〜９ｂと並行する筒体の軸方向に第１破断線１５が設けられている。
【００４１】
次に本実施形態に係る段ボール製緩衝材Ｋの組み立て方法について説明する。まず、予め所定の位置に切れ込み線１２ａ、１２ｂ及び破断線１４、１５が設けられた段ボール材を用意し、底面板５を底にして折り曲げ線９ａを折り曲げて外側面板４ａを起立させ（図５（ａ）参照）、この状態で上面板３ａが底面板５と平行となる様に、折り曲げ線８ａを直角に折り曲げる。次に、内側面板２ａが外側面板４ａと平行になる様に折り曲げ線６ａを直角に折り曲げ、底面板５に設けられた各係止片１１ａを下面板１ａに形成された対応する各開口部１０ａに挿入することにより、略直方体形状を有する筒体ａが完成する（図５（ｂ）参照）。
【００４２】
筒体ｂについても同様にして、折り曲げ線９ｂを折り曲げて外側面板４ｂを起立させ（図５（ｃ）参照）、この状態で上面板３ｂが底面板５と平行となる様に、折り曲げ線８ｂを直角に折り曲げる。次に、内側面板２ｂが外側面板４ｂと平行になる様に折り曲げ線６ｂを直角に折り曲げ、底面板５に設けられた各係止片１１ｂを下面板１ｂに形成された対応する開口部１０ｂに挿入することにより略直方体形状を有する筒体ｂが完成する（図５（ｄ）参照）。これにより、本実施形態に係る段ボール製緩衝材Ｋが完成する。
【００４３】
このとき、係止片１１ａ、１１ｂ及びそれに対応する開口部１０ａ、１０ｂが筒体ａ、ｂの軸方向に複数設けられ、切れ込み線１２ａ、１２ｂは隣接するこれら開口部１０ａ、１０ｂ間及び係止片１１ａ、１１ｂ間を通るように設けられている。このため、切れ込み線１２ａ、１２ｂにより分断された筒体ａ、ｂの一部が分解することはない。
【００４４】
なお、上述の組立て方法は一例であり、この順序に限定されるものではない。例えば、段ボール紙を組み立てた後に所定の間隔で切れ込み線１２ａ、１２及び破断線を設けてもよい。
【００４５】
以上説明したように、本実施形態における段ボール製緩衝材Ｋは、切れ込み線１２ａ、１２ｂを複数設けることで梱包物品１６の形状に合わせて変形することができ、一枚の段ボール材の両端を巻き込んで筒体ａ、ｂを形成するため、巻き込む段ボール材の長さを調整することで筒体の大きさを調整し緩衝性能を変化させることもできる。
【００４６】
なお、上記実施形態は、単なる説明例であり、本発明の範囲は、上記実施形態に限定されるものではない。また、本発明の趣旨に基づいて各構成物品の形状、寸法、材料等を変更することが可能であり、それらを本発明の範囲から除外するものではない。
【００４７】
例えば、上記実施形態においては、一対の筒体ａと筒体ｂを設けたが、一つの筒体に切れ込み線を設け緩衝材として使用することも可能である。また、筒体ａ、ｂを異なる大きさで形成してもよいし、筒体ａ、ｂは略直方体状である必要はなく円筒状でもよい。
【産業上の利用可能性】
【００４８】
本発明の活用例としては、製品を運搬する際に起きる外部衝撃から製品を保護するための段ボール製緩衝材が挙げられる。
【図面の簡単な説明】
【００４９】
【図１】は、本発明に係る段ボール製緩衝材を示す斜視図である。
【図２】は、本発明に係る第１例の段ボール製緩衝材で梱包物品を保護した状態を示す斜視図である。
【図３】は、本発明に係る第１例の段ボール製緩衝材で梱包物品を保護した状態を示す斜視図である。
【図４】は、本発明に係る段ボール製緩衝材の展開図である。
【図５】は、本発明に係る段ボール製緩衝材の組み立て方法を示す段ボール製緩衝材の断面図である。
【図６】は、本発明に係る第２例の段ボール製緩衝材で梱包物品を保護した状態を示す斜視図である。
【図７】は、本発明に係る第２例の段ボール製緩衝材の展開図である。
【符号の説明】
【００５０】
１ａ、１ｂ            下面板
２ａ、２ｂ            内側面板
３ａ、３ｂ            上面板
４ａ、４ｂ            外側面板
５                    底面板
１１ａ、１１ｂ        係止片
１２ａ、１２ｂ        開口部
ａ、ｂ                筒体
Ｋ                    段ボール製緩衝材
【図１】
2008184179.tif 000003
【図２】
2008184179.tif 000004
【図３】
2008184179.tif 000005
【図４】
2008184179.tif 000006
【図５】
2008184179.tif 000007
【図６】
2008184179.tif 000008
【図７】
2008184179.tif 000009